(57)【要約】      （修正有）【課題】施工性に優れるバルコニーの袖壁の取付構造を提供する。【解決手段】この取付構造は、バルコニー２の袖壁５側の上下を、袖壁５に沿ってのびる上、下の梁７、８、上の梁７に固定された上側取付金物１１、下の梁８に固定された下側取付金物１２、並びに、上側取付金物１１及び下側取付金物１２に取り付けられた袖壁パネル１３を含んで構成されている。上側取付金物１１は、バルコニー空間２ｓ側に袖壁５に沿った取付面が設けられている。下側取付金物１２は、上に向けて突出するダボピン２２が固定されている。袖壁パネル１３は、矩形の枠組１３ａと、この枠組１３ａに配されかつバルコニー空間２ｓ側に面する袖壁仕上げ材１３ｂとが予め一体に形成されている。枠組１３ａの下部には、下側取付金物１２のダボピン２２に挿入される取付穴が形成される。枠組１３ａの上部には、上側取付金物１１の取付面に固定される取付片３１が設けられる。【選択図】図２
2015158066.tif 000002
【特許請求の範囲】
【請求項１】
建物本体の外壁から屋内側に入り込んだバルコニーの袖壁の取付構造であって、
前記バルコニーの前記袖壁側の上下を、前記袖壁に沿ってのびる上、下の梁、
前記上の梁に固定された上側取付金物、前記下の梁に固定された下側取付金物、並びに、前記上側取付金物及び前記下側取付金物に取り付けられた袖壁パネルを含み、
前記上側取付金物は、バルコニー空間側に袖壁に沿った取付面が設けられ、
前記下側取付金物は、上に向けて突出するダボピンが固定されており、
前記袖壁パネルは、矩形の枠組と、この枠組に配されかつバルコニー空間側に面する袖壁仕上げ材とが予め一体に形成されており、
前記枠組の下部には、前記下側取付金物の前記ダボピンに挿入される取付穴が形成され、
前記枠組の上部には、前記上側取付金物の前記取付面に固定される取付片が設けられていることを特徴とするバルコニーの袖壁の取付構造。
【請求項２】
前記ダボピンは、前記下側取付金物に固着されるネジ部、前記袖壁パネルの前記枠組に挿入されるピン部、及び、前記ネジ部と前記ピン部との間に設けられかつ前記枠組の下面を支えるフランジ部を有する請求項１記載のバルコニーの袖壁の取付構造。
【請求項３】
前記ピン部は、上に向かって外径が漸減するテーパ部を含んでいる請求項２記載のバルコニーの袖壁の取付構造。
【請求項４】
前記袖壁パネルは、前記外壁を構成する外装材に沿って配されている請求項１乃至３のいずれかに記載のバルコニーの袖壁の取付構造。
【請求項５】
前記上側取付金物及び前記下側取付金物は、それぞれ、前記上の梁及び前記下の梁から前記外壁を構成する外装材側にのびており、
前記袖壁パネルは、前記上の梁及び前記下の梁の梁芯面から前記外装材側に取り付けられている請求項１乃至４のいずれかに記載のバルコニーの取付構造。
【発明の詳細な説明】
【技術分野】
【０００１】
本発明は、施工性に優れたバルコニーの袖壁の取付構造に関する。
【背景技術】
【０００２】
図１に示されるように、建物本体３の外壁４から屋内側に入り込んだバルコニー２が知られている。このようなバルコニー２は、例えば、インナーバルコニーと呼ばれ、建物本体３から張り出さないため、狭小地の住宅等に適している。
【０００３】
従来、上述のようなバルコニー２の奥行方向に沿ってのびる袖壁５の取付構造として、図８に示されるようなものが提案されている。この構造は、バルコニー２の上下を、袖壁５に沿ってのびる上、下の梁７、８、上の梁７に固定された上側取付金物６４、下の梁８に固定された下側取付金物６５、上側取付金物６４及び下側取付金物６５に取り付けられた矩形の袖壁枠組６６、並びに、この袖壁枠組６６に固着されるＡＬＣ等の仕上げ材６７を含んでいる。
【０００４】
従来の袖壁パネルの取付構造では、先ず、図９に示されるように、上側取付金物６４及び下側取付金物６５に、袖壁枠組６６がボルト６９、７０で固定される。袖壁枠組６６と下側取付金物６５とをボルト７０で固定するために、袖壁枠組６６には、仕上げ材６７が予め施工されておらず、袖壁枠組６６内に開口６６ｏが設けられている。
【０００５】
袖壁枠組６６が、上側取付金物６４及び下側取付金物６５に固定された後、仕上げ材６７が、袖壁枠組６６の開口６６ｏを覆うように固着される。これにより、バルコニーの袖壁５が施工される。
【先行技術文献】
【特許文献】
【０００６】
【特許文献１】特開２００６−３７６８３号公報
【発明の概要】
【発明が解決しようとする課題】
【０００７】
しかしながら、従来の袖壁５の取付構造では、袖壁枠組６６に仕上げ材６７を固着する作業が現場で行われるため、施工性が悪いという問題があった。
【０００８】
本発明は、以上のような問題点に鑑み案出なされたもので、施工性に優れたバルコニーの袖壁の取付構造を提供することを課題としている。
【課題を解決するための手段】
【０００９】
本発明は、建物本体の外壁から屋内側に入り込んだバルコニーの袖壁の取付構造であって、前記バルコニーの前記袖壁側の上下を、前記袖壁に沿ってのびる上、下の梁、前記上の梁に固定された上側取付金物、前記下の梁に固定された下側取付金物、並びに、前記上側取付金物及び前記下側取付金物に取り付けられた袖壁パネルを含み、前記上側取付金物は、バルコニー空間側に袖壁に沿った取付面が設けられ、前記下側取付金物は、上に向けて突出するダボピンが固定されており、前記袖壁パネルは、矩形の枠組と、この枠組に配されかつバルコニー空間側に面する袖壁仕上げ材とが予め一体に形成されており、前記枠組の下部には、前記下側取付金物の前記ダボピンに挿入される取付穴が形成され、前記枠組の上部には、前記上側取付金物の前記取付面に固定される取付片が設けられていることを特徴とする。
【００１０】
本発明に係る前記バルコニーの袖壁の取付構造において、前記ダボピンは、前記下側取付金物に固着されるネジ部、前記袖壁パネルの前記枠組に挿入されるピン部、及び、前記ネジ部と前記ピン部との間に設けられかつ前記枠組の下面を支えるフランジ部を有するのが望ましい。
【００１１】
本発明に係る前記バルコニーの袖壁の取付構造において、前記ピン部は、上に向かって外径が漸減するテーパ部を含んでいるのが望ましい。
【００１２】
本発明に係る前記バルコニーの袖壁の取付構造において、前記袖壁パネルは、前記外壁を構成する外装材に沿って配されているのが望ましい。
【００１３】
本発明に係る前記バルコニーの袖壁の取付構造において、前記上側取付金物及び前記下側取付金物は、それぞれ、前記上の梁及び前記下の梁から前記外壁を構成する外装材側にのびており、前記袖壁パネルは、前記上の梁及び前記下の梁の梁芯面から前記外装材側に取り付けられているのが望ましい。
【発明の効果】
【００１４】
本発明のバルコニーの袖壁の取付構造は、矩形の枠組と、この枠組に配されかつバルコニー空間側に面する袖壁仕上げ材とが予め一体に形成された袖壁パネルが用いられる。従って、現場で、枠組と袖壁仕上げ材とを固着するための作業工程が不要になる。
【００１５】
また、袖壁パネルを取り付けるために、上側取付金物には、バルコニー空間側に袖壁に沿った取付面が設けられており、下側取付金物には、上に向けて突出するダボピンが固定されている。一方、袖壁パネルは、枠組の下部に、前記ダボピンに挿入される取付穴が形成されている。従って、袖壁パネルは、バルコニー空間側から、枠組の取付穴を前記ダボピンに挿入した後、上側取付金物に立て掛けて、かつ、ボルト固定することで、容易に取付される。
【図面の簡単な説明】
【００１６】
【図１】本実施形態のバルコニーの袖壁の取付構造が適用される建物を示す斜視図である。
【図２】本実施形態のバルコニーの袖壁の取付構造の一例を示す断面図である。
【図３】図２の袖壁パネルが取り付けられる前のバルコニーを示す断面図である。
【図４】本実施形態の下側取付金物及びダボピンの斜視図である。
【図５】本実施形態の袖壁パネルの枠組の斜視図である。
【図６】袖壁パネルを取り付ける工程を説明する断面図である。
【図７】本発明の他の実施形態のバルコニーの袖壁の取付構造を示す断面図である。
【図８】従来のバルコニーの袖壁の取付構造の一例を示す断面図である。
【図９】図８の仕上げ材が固着される前のバルコニーを示す断面図である。
【発明を実施するための形態】
【００１７】
以下、本発明の実施の一形態が図面に基づき説明される。
本実施形態のバルコニーの袖壁の取付構造（以下、単に「取付構造」ということがある）は、一般的な住宅やビル等の建物のバルコニーに、袖壁を取り付けるためのものである。図１は、本実施形態の取付構造が適用される建物Ｂを示す斜視図である。図２は、本実施形態の取付構造の一例を示す断面図である。図３は、袖壁パネルが取り付けられる前のバルコニーを示す断面図である。
【００１８】
図１に示されるように、本実施形態のバルコニー２は、建物本体３の外壁４から屋内側に入り込んだインナーバルコニーとして形成されている。このようなバルコニー２は、建物本体３から張り出さないため、狭小地の住宅等に適している。図２に示されるように、本実施形態の袖壁５は、外壁４を構成する外装材４ａよりもバルコニー空間２ｓ側において、バルコニー２の奥行方向に沿って配置されている。
【００１９】
本実施形態の取付構造は、バルコニー２の袖壁５側の上下に配置される上、下の梁７、８、上の梁７に固定された上側取付金物１１、下の梁８に固定された下側取付金物１２、並びに、上側取付金物１１及び下側取付金物１２に取り付けられた袖壁パネル１３を含んで構成されている。
【００２０】
上の梁７及び下の梁８は、袖壁５に沿ってバルコニー空間２ｓの奥行方向にのびている。上の梁７は、上下にのびるウエブ７ａと、ウエブ７ａの上端で鍔状にのびる上フランジ（図示省略）と、ウエブ７ａ下端で鍔状にのびる下フランジ７ｃとを含んでいる。また、下の梁８は、上の梁７と同様に、ウエブ８ａと、上フランジ８ｂと、下フランジ（図示省略）とを含んでいる。従って、上の梁７及び下の梁８は、断面略Ｈ字状に形成されている。また、下の梁８には、上フランジ８ｂの上面に、バルコニー２の床１０が配置されている。
【００２１】
上の梁７には、外壁４と一体に固定される上の外壁固着具１５が設けられている。図３に示されるように、上の外壁固着具１５は、上の梁７の下フランジ７ｃから、外壁４の枠体４ｂに向かって水平にのびる基部１５ａと、基部１５ａの外端から枠体４ｂに沿って下方にのびる折返し部１５ｂとを含んで構成されている。上の外壁固着具１５の基部１５ａは、上の梁７の下フランジ７ｃに、ボルト等の固着具１５ｇで固定されている。さらに、上の外壁固着具１５の折返し部１５ｂは、外壁４の枠体４ｂに、ボルト等の固着具１５ｈで固定されている。
【００２２】
下の梁８には、上の梁７と同様に、外壁４と一体に固定される下の外壁固着具１６が設けられている。下の外壁固着具１６は、上の外壁固着具１５と同様に、基部１６ａと折返し部１６ｂとを含んで構成されている。下の外壁固着具１６の基部１６ａは、下の梁８の上フランジ８ｂに、ボルト等の固着具１６ｇで固定されている。さらに、下の外壁固着具１６の折返し部１６ｂは、外壁４の枠体４ｂに、ボルト等の固着具１６ｈ、１６ｈで固定されている。
【００２３】
このように、上の外壁固着具１５及び下の外壁固着具１６は、上下の梁７、８と外壁４とを強固に固定することができるため、耐震性を向上させるのに役立つ。
【００２４】
上側取付金物１１は、上の梁７から外装材４ａ側にのびる基片１１ａと、基片１１ａの外装材４ａ側の端部から、下方にのびる垂下片１１ｂとを含み、断面Ｌ字状に形成されている。本実施形態の上側取付金物１１は、袖壁５に沿って、奥行方向に隔設されている。
【００２５】
基片１１ａは、上の梁７の下フランジ７ｃに沿って水平にのびている。本実施形態の基片１１ａは、上の外壁固着具１５の基部１５ａを介して、上の梁７の下フランジ７ｃに固着されている。この基片１１ａの固着には、上の外壁固着具１５の基部１５ａを固定するボルト等の固着具１５ｇが用いられる。また、基片１１ａの外装材４ａ側の端部は、上の外壁固着具１５の折返し部１５ｂよりもバルコニー空間２ｓ側で終端している。
【００２６】
垂下片１１ｂは、基片１１ａの外装材４ａ側の端部から下方に向かって、垂直にのびている。この垂下片１１ｂは、バルコニー空間２ｓ側に、袖壁５（図２に示す）に沿った取付面１８が形成されている。この取付面１８は、袖壁パネル１３（図２に示す）を固定するためのものである。また、垂下片１１ｂには、厚さ方向で貫通する孔部（図示省略）が設けられている。
【００２７】
図４は、下側取付金物１２及びダボピンの斜視図である。図３及び図４に示されるように、下側取付金物１２は、一対の取付部１２Ａ、１２Ａによって構成されている。各取付部１２Ａ、１２Ａは、垂直にのびるウエブ１２ａと、ウエブ１２ａの上端で鍔状にのびる上フランジ１２ｂと、ウエブ１２ａの下端で鍔状にのびる下フランジ１２ｃとを含み、断面略コ字状に形成されている。本実施形態では、各取付部１２Ａ、１２Ａのウエブ１２ａ、１２ａを互いに当接させて配置されている。
【００２８】
また、本実施形態の取付部１２Ａ、１２Ａには、上フランジ１２ｂと下フランジ１２ｃとの間を垂直にのびる補強片１２ｄがそれぞれ設けられている。この補強片１２ｄは、図３に示されるように、下側取付金物１２の水平方向において、外装材４ａ側に偏って配置されている。
【００２９】
上フランジ１２ｂ及び下フランジ１２ｃは、バルコニー２の床１０よりも外装材４ａ側において、下の梁８から外装材４ａ側にのびている。
【００３０】
上フランジ１２ｂには、補強片１２ｄよりも外装材４ａ側で垂直に貫通する孔部２１ａが設けられている。また、上フランジ１２ｂには、補強片１２ｄよりもバルコニー空間２ｓ側で垂直に貫通する上孔部２１ｂが設けられている。この上孔部２１ｂは、孔部２１ａよりも大きな径で形成されている。
【００３１】
下フランジ１２ｃには、上孔部２１ｂの下方において、垂直方向に貫通する下孔部２１ｃが設けられている。この下孔部２１ｃは、上孔部２１ｂよりも小さな径で形成されている。
【００３２】
下側取付金物１２は、下フランジ１２ｃが、下の外壁固着具１６の基部１６ａを介して、下の梁８の上フランジ８ｂに固着される。この下フランジ１２ｃは、下孔部２１ｃに、下の外壁固着具１６を固定するボルト等の固着具１６ｇが挿通されて固着される。なお、下側取付金物１２には、下孔部２１ｃの上方に大きな径を有する上孔部２１ｂが設けられているため、上フランジ１２ｂ側から固着具１５ｇの締結を容易にすることができる。
【００３３】
本実施形態の下側取付金物１２には、図３及び図４に示されるように、上に向けて突出するダボピン２２が固定されている。ダボピン２２は、ネジ部２２ａ、ネジ部２２ａよりも上方に配置されるピン部２２ｂ、及び、ネジ部２２ａとピン部２２ｂとの間に設けられたフランジ部２２ｃを含んで構成されている。
【００３４】
ネジ部２２ａは、下側取付金物１２の上フランジ１２ｂの孔部２１ａに挿通されて、下側取付金物１２に固着される。ピン部２２ｂは、上に向かって外径Ｄ１が漸減するテーパ部２３を有している。さらに、本実施形態のピン部２２ｂには、テーパ部２３とフランジ部２２ｃとの間で、同一の外径Ｄ１で上下にのびる等径部２４を有している。フランジ部２２ｃは、円柱状に形成されている。フランジ部２２ｃの外径は、ネジ部２２ａ及びピン部２２ｂの外径Ｄ１よりも大に設定されている。
【００３５】
図２に示されるように、袖壁パネル１３は、矩形の枠組１３ａと、この枠組１３ａに配される袖壁仕上げ材１３ｂとを含んで構成されている。この袖壁仕上げ材１３ｂは、バルコニー空間２ｓ側に面して配置されている。また、袖壁パネル１３は、外壁４を構成する外装材４ａに沿って配置されている。
【００３６】
本実施形態の袖壁パネル１３は、枠組１３ａ及び袖壁仕上げ材１３ｂが、予め一体に形成されている。従って、袖壁パネル１３は、建設現場において、枠組１３ａと袖壁仕上げ材１３ｂとを固着するための作業工程が不要になる。
【００３７】
図５は、袖壁パネル１３の枠組１３ａの斜視図である。枠組１３ａは、上下に配される横材２５Ａ、２５Ｂと、横材２５Ａ、２５Ｂの水平方向の両端に配される左右の縦材２６Ａ、２６Ｂとを有し、正面視矩形状に形成されている。
【００３８】
上下の横材２５Ａ、２５Ｂは、左右の縦材２６Ａ、２６Ｂ間を水平のびている。上下の横材２５Ａ、２５Ｂは、水平にのびる基片２５ａと、基片２５ａのバルコニー空間２ｓ側の一端から左右の縦材２６Ａ、２６Ｂに向かって折り返される折返し片２５ｂとを含み、略Ｌ字状に形成されている。図２に示されるように、上の横材２５Ａの折返し片２５ｂ（図５に示す）には、軒天井材２９を支持する取付金具３０が固定されている。
【００３９】
図５に示されるように、左右の縦材２６Ａ、２６Ｂは、外装材４ａ側とバルコニー空間２ｓ側との間をのびる基部２６ａと、基部２６ａの外装材４ａ側の端部から鍔状にのびる外フランジ２６ｂ、及び、基部２６ａのバルコニー空間２ｓ側の端部から鍔状にのびる内フランジ２６ｃを含んで構成されている。これにより、縦材２６Ａ、２６Ｂは、断面略コ字状に形成されている。
【００４０】
左右の縦材２６Ａ、２６Ｂには、その上端側及び下端側に、基部２６ａの幅が小さくなる先細部２６ｓ、２６ｓが設けられている。このような先細部２６ｓ、２６ｓは、上下の横材２５Ａ、２５Ｂの折返し片２５ｂと、左右の縦材２６Ａ、２６Ｂの内フランジ２６ｃとを面一にすることができる。
【００４１】
枠組１３ａには、外装材４ａ側において、左右の縦材２６Ａ、２６Ｂ間を水平にのびる横桟２７が少なくとも一つ、本実施形態では、複数本配置されている。このような横桟２７は、枠組１３ａの剛性を高めるのに役立つ。
【００４２】
枠組１３ａの下部には、下側取付金物１２のダボピン２２（図４に示す）に挿入される取付穴２８が形成されている。本実施形態の取付穴２８は、下の横材２５Ｂの基片２５ａを垂直方向に貫通して形成されている。また、取付穴２８の外径は、ダボピン２２の外径（最大径）Ｄ１と同一に設定されている。このような取付穴２８は、下側取付金物１２のダボピン２２のピン部２２ｂに挿入されることにより、枠組１３ａを水平方向で移動不能に拘束することができる。枠組１３ａの下面は、ダボピン２２のフランジ部２２ｃに当接して、安定して支持される。これにより、図２に示されるように、枠組１３ａの下部は、ダボピン２２及び下側取付金物１２を介して、下の梁８に支持される。
【００４３】
図５に示されるように、枠組１３ａの上部には、上側取付金物１１の取付面１８に固定される取付片３１が設けられている。本実施形態の取付片３１は、上の横材２５Ａの基片２５ａに沿って水平にのびる基部３１ａと、基部３１ａのバルコニー空間２ｓ側の端部から上方に折れ曲がる立上がり部３１ｂとを含み、断面略Ｌ字状に形成されている。
【００４４】
取付片３１の基部３１ａは、上の横材２５Ａの基片２５ａに、例えば溶接等で固着されている。取付片３１の立上がり部３１ｂには、厚さ方向に貫通する孔部３１ｃが設けられている。この立上がり部３１ｂは、外装材４ａ側を向く面が、上側取付金物１１の取付面１８（図３に示す）に当接して、立上がり部３１ｂの孔部３１ｃ及び上側取付金物１１の孔部（図示省略）にボルト等の固着具３２（図２に示す）が挿入される。これにより、図５に示されるように、枠組１３ａの上部は、取付片３１及び上側取付金物１１を介して、上の梁７に固定される。
【００４５】
図２に示されるように、袖壁仕上げ材１３ｂは、例えば、ＡＬＣ等の発泡コンクリートパネルから構成され、枠組１３ａのバルコニー空間２ｓ側に配置されている。袖壁仕上げ材１３ｂは、図５に示した上下の横材２５Ａ、２５Ｂの折返し片２５ｂ、及び、左右の縦材２６Ａ、２６Ｂの内フランジ２６ｃに取り付けられている。本実施形態の枠組１３ａは、折返し片２５ｂと内フランジ２６ｃとが面一に形成されるため、袖壁仕上げ材１３ｂを折返し片２５ｂと内フランジ２６ｃに当接させて、安定して固定することができる。
【００４６】
本実施形態の袖壁仕上げ材１３ｂは、枠組１３ａの上側に配置される上パネル３５ａと、上パネル３５ａの下側に配置される下パネル３５ｂとを含んでいる。これにより、袖壁仕上げ材１３ｂは、上パネル３５ａと下パネル３５ｂとの間に、水平にのびる目地３５ｃが形成されている。
【００４７】
次に、本実施形態の取付構造の施工方法について説明する。図６は、袖壁パネル１３を取り付ける工程を説明する断面図である。本実施形態の施工方法では、先ず、図３に示されるように、上側取付金物１１及び下側取付金物１２が、上の梁７及び下の梁８に固定される（工程Ｓ１）。
【００４８】
工程Ｓ１では、上側取付金物１１の基片１１ａが、上の外壁固着具１５の基部１５ａを介して、上の梁７の下フランジ７ｃに固着される。基片１１ａの固着には、上の外壁固着具１５の基部１５ａを固定するボルト等の固着具１５ｇが用いられる。これにより、図６に示されるように、上側取付金物１１の垂下片１１ｂには、バルコニー空間２ｓ側に、袖壁５（図２に示す）に沿った取付面１８が形成される。
【００４９】
図３に示されるように、工程Ｓ１では、下側取付金物１２の下フランジ１２ｃが、下の外壁固着具１６の基部１６ａを介して、下の梁８の上フランジ８ｂに固着される。下フランジ１２ｃの固着には、下の外壁固着具１６を固定するボルト等の固着具１６ｇが用いられる。さらに、工程Ｓ１では、ダボピン２２が下側取付金物１２に固定される。なお、ダボピン２２は、下側取付金物１２が下の梁８に固着される前に固定されてもよいし、下側取付金物１２が下の梁８に固着された後に固定されてもよい。
【００５０】
次に、本実施形態の施工方法では、図６に示されるように、上側取付金物１１及び下側取付金物１２に、袖壁パネル１３が取り付けられる（工程Ｓ２）。
【００５１】
本実施形態の工程Ｓ２では、先ず、袖壁パネル１３の上部側がバルコニー空間２ｓ側に傾けられて、袖壁パネル１３の枠組１３ａの取付穴２８が、ダボピン２２のピン部２２ｂの先端（図４に示したテーパ部２３）に挿入される。次に、工程Ｓ２では、袖壁パネル１３の上部側を、外装材４ａ側に立ち上げる。これにより、図２に示されるように、取付穴２８は、ダボピン２２のピン部２２ｂの等径部２４（図４に示す）まで挿入され、袖壁パネル１３の枠組１３ａの下面を、ダボピン２２のフランジ部２２ｃ（図４に示す）に支持させることができる。
【００５２】
さらに、工程Ｓ２では、図６に示されるように、枠組１３ａの上部に固定される取付片３１の立上がり部３１ｂを、上側取付金物１１の取付面１８に当接させて、図２に示されるように、枠組１３ａを上側取付金物１１に立て掛けることができる。そして、立上がり部３１ｂの孔部３１ｃ（図５に示す）及び上側取付金物１１の孔部（図示省略）にボルト等の固着具３２が挿入される。これにより、工程Ｓ２では、上側取付金物１１及び下側取付金物１２を介して、袖壁パネル１３を、上の梁７及び下の梁８に取り付けることができる。しかる後、バルコニー２の床１０と、外壁４の枠体４ｂとの間の隙間（袖壁パネル１３の下部側）に、モルタル（図示省略）が流し込まれて硬化することにより、本実施形態の取付構造を形成することができる。
【００５３】
このように、本実施形態の取付構造では、袖壁パネル１３の枠組１３ａの取付穴２８にダボピン２２が挿入された後、袖壁パネル１３が上側取付金物１１に立て掛けられてボルト固定される。従って、本実施形態の取付構造では、袖壁パネル１３を、バルコニー空間２ｓ側から容易に取り付けることができる。
【００５４】
しかも、本実施形態の取付構造では、枠組１３ａと下側取付金物１２とを、従来のようにボルトで固定する必要がないため、枠組１３ａと袖壁仕上げ材１３ｂとを予め一体に形成することができる。従って、本実施形態の取付構造では、建設現場で、枠組１３ａと袖壁仕上げ材１３ｂとを固着するための作業工程が不要になるため、施工性を大幅に向上することができる。
【００５５】
図３に示したように、本実施形態の取付構造では、上側取付金物１１の基片１１ａ、下側取付金物１２の上フランジ１２ｂ、及び、下フランジ１２ｃが、上の梁７及び下の梁８から外装材４ａ側にのびている。このため、本実施形態の取付構造では、図２に示されるように、袖壁パネル１３を、上の梁７及び下の梁８の梁芯面３３よりも外装材４ａ側に取り付けることができる。従って、本実施形態の取付構造では、バルコニー空間２ｓを広く形成することができる。
【００５６】
本実施形態のダボピン２２には、ネジ部２２ａが形成されているため、下側取付金物１２の孔部２１ａ（図４に示す）への螺合量によって、フランジ部２２ｃの高さを調節することができる。これにより、ダボピン２２は、フランジ部２２ｃに支持される袖壁パネル１３の高さを調節することができる。従って、ダボピン２２は、例えば、立上がり部３１ｂの孔部３１ｃ（図５に示す）と上側取付金物１１の孔部（図示省略）との高さ調整や、袖壁パネル１３の目地３５ｃ（図２に示す）と、該袖壁パネル１３に隣り合う腰壁パネル１４（図１に示す）の目地（図示省略）との高さの調整を、容易に実施するのに役立つ。
【００５７】
図４に示されるように、本実施形態のダボピン２２は、ピン部２２ｂの上端側に、テーパ部２３が設けられているため、袖壁パネル１３の取付穴２８に容易に挿入することができ、施工性に優れる。さらに、本実施形態のダボピン２２は、取付穴２８と同一の外径Ｄ１で上下にのびる等径部２４（図４に示す）が設けられているため、ダボピン２２に挿入された取付穴２８を、水平方向に移動不能に保持することができる。従って、ダボピン２２は、袖壁パネル１３のグラつきを防ぐことができる。しかも、本実施形態では、袖壁パネル１３が取り付けられた後に、袖壁パネル１３の下部側にモルタル（図示省略）が配置されるため、施工後に、袖壁パネル１３のグラつきが生じるのを確実に防ぐことができる。
【００５８】
図７は、本発明の他の実施形態の取付構造を示す断面図である。この実施形態のダボピン２２は、テーパ部２３のバルコニー空間２ｓ側の側面２３ｓが、垂直にのびている。このようなダボピン２２は、図６に示したダボピン２２に比べて、その先端２２ｔをバルコニー空間２ｓ側に向けることができる。従って、この実施形態の取付構造では、袖壁パネル１３の取付穴２８に、ダボピン２２を容易に挿入することができる。
【００５９】
以上、本発明の特に好ましい実施形態について詳述したが、本発明は図示の実施形態に限定されることなく、種々の態様に変形して実施しうる。
【符号の説明】
【００６０】
２      バルコニー
５      袖壁
１１      上側取付金物
１２      下側取付金物
１３      袖壁パネル
１８      取付面
２２      ダボピン
【図１】
2015158066.tif 000003
【図２】
2015158066.tif 000004
【図３】
2015158066.tif 000005
【図４】
2015158066.tif 000006
【図５】
2015158066.tif 000007
【図６】
2015158066.tif 000008
【図７】
2015158066.tif 000009
【図８】
2015158066.tif 000010
【図９】
2015158066.tif 000011